(57)【特許請求の範囲】
【請求項１】
チューニング機能を備えた移動通信端末において、
チューニングをするための複数の基準音を記憶した記憶手段と、
前記記憶手段に記憶されている複数の基準音から、少なくとも一つの基準音を選択する選択手段と、
楽器の音または声音を入力する入力手段と、
前記選択手段によって選択された少なくとも一つの基準音に従って音を最高音ないし最低音から順次生成する音生成手段と、
前記入力手段によって入力された音と前記音生成手段によって生成された音とを比較する比較手段と、
前記比較手段による比較結果を表示する表示手段と、
を備え、
更に、前記選択手段によって選択された少なくとも一つの基準音を前記音生成手段によって生成し、生成された音の波と、前記入力手段によって入力された楽器の音または声音の音の波を重ね合わせる手段と、
前記重ね合わせる手段によって重ね合わされた２つの音の波の成分が打ち消しあって最も音が小さくなる瞬間を検出する検出手段と、
を有するチューニング機能を備えた移動通信端末であって、
前記検出手段によって検出された最も音が小さくなる瞬間の２つの音を、前記比較手段によって比較し、その比較結果を前記表示手段に表示する
ことを特徴とするチューニング機能を備えた移動通信端末。
【発明の詳細な説明】
【技術分野】
【０００１】
本発明は、音のチューニング機能を備えた移動通信端末に関し、特に演奏する基準音を出すことと楽器音及び声音を拾って音のピッチを確認できる移動通信端末に関する。
【背景技術】
【０００２】
器楽および声楽の演奏前には、基準となる音を出して音程を合わせる。基準の音を出す方法として通常音叉を用いて、音のうなりを聴いて調整する。また、音程を合わせるための専用チューナも用いることがある。
【０００３】
一方、楽器などを演奏する場合には、予め楽器をチューニングして音程を正確に合わせる必要がある。この場合には、チューニングメータを用いて音程を確認しながら自力でチューニングする必要があり、また、チューニング機材を常に演奏会場に持ち運んだり、管理をしたりしなくてはならない。
【０００４】
そこで、携帯電話が普及していることから、携帯電話にチューニング機能を備えることで、チューニング機材を演奏会場に持ち運びしなくても済む（特許文献１）。
【特許文献１】特開２００２−４９３６８号公報
【発明の開示】
【発明が解決しようとする課題】
【０００５】
本発明は、係る問題に鑑みてなされたもので、チューニング機能を移動通信端末（例えば、携帯電話）に搭載させることで、誰もが手軽に楽器などの音程をチューニングをすることができるチューニング機能を備えた移動通信端末を提供することを目的とする。
【課題を解決するための手段】
【０００６】
上記目的を達成するために、請求項１記載のチューニング機能を備えた移動通信端末は、チューニング機能を備えた移動通信端末において、チューニングをするための複数の基準音を記憶した記憶手段と、記憶手段に記憶されている複数の基準音から、少なくとも一つの基準音を選択する選択手段と、楽器の音または声音を入力する入力手段と、 選択手段によって選択された少なくとも一つの基準音に従って音を最高音ないし最低音から順次生成する音生成手段と、入力手段によって入力された音と音生成手段によって生成された音とを比較する比較手段と、比較手段による比較結果を表示する表示手段と、を備え、更に、選択手段によって選択された少なくとも一つの基準音を音生成手段によって生成し、生成された音の波と、入力手段によって入力された楽器の音または声音の音の波を重ね合わせる手段と、重ね合わせる手段によって重ね合わされた２つの音の波の成分が打ち消しあって最も音が小さくなる瞬間を検出する検出手段と、を有するチューニング機能を備えた移動通信端末であって、検出手段によって検出された最も音が小さくなる瞬間の２つの音を、比較手段によって比較し、その比較結果を表示手段に表示することを特徴とする。
【発明の効果】
【００１２】
以上の説明から、本発明のチューニング機能を備えた移動通信端末は、移動通信端末にチューニング機能を搭載することで、楽器演奏者がチューニングメータといった機材を持ち運びする必要がなくなり、手軽に楽器のチューニングをすることができる。
【発明を実施するための最良の形態】
【００１３】
次に添付図面を参照して、本発明の実施形態を説明する。
まず、図１、図２を参照して、携帯電話の構成を説明する。
図１では、携帯電話本体の構成を示している。図１（ａ）に示すように携帯電話本体１００の正面部には、カラー表示のできる表示部１０１、電話番号や文字を入力また、操作する操作部１０２、着信者が発信者の声を聴くための受話部１０３、発信者の声を取り込む送話部１０４、携帯電話１００と基地局とのやり取りを制御するアンテナ１０５を有する。図１（ｂ）に示す背面部には、着信音を発するスピーカ１０９を有する。表示部１０１、操作部１０２、受話部１０３、送話部１０４、アンテナ１０５は、スピーカ１０９は、それぞれ図２に示す制御部２００に接続され、制御されている。
【００１４】
また、図２に示すように、制御部２００には、記憶部１０７、シンセサイザ１０８が接続されている。記憶部１０７は、携帯電話１００を動作させるプログラムやプログラムが処理するデータ、携帯電話１００の設定内容を保持する。シンセサイザ１０８は、音を生成する。さらに、制御部２００には、携帯電話１００の動力となる電源２０１が接続されている。
【００１５】
次に、図２を参照して、携帯電話１００の処理動作を説明する。
記憶部１０７に格納されたプログラムや設定内容に基づき、操作部１０２による操作により制御部２００は、送話部１０３と受話部１０４とアンテナ１０５を制御して通話を可能にする。アンテナ１０５が音声以外のデータを受信した場合、制御部２００は一旦記憶部１０７にデータを格納し、適当なデータ形式に変換してから、文字や画像のデータなら表示部１０１に、音楽のデータならスピーカ１０６にそれぞれ出力させる。記憶部１０７に格納されたプログラムにより操作部１０２からの入力内容を記憶部１０７に格納し、制御部２００による処理結果を表示部１０１に出力する。
【００１６】
（第１の実施形態）
次に、図３、図４を参照して、本発明の携帯電話に設けられた音のチューニング機能についての処理動作について説明する。
チューニング機能の実行は、記憶部１０７に格納されたプログラムを操作部１０２による操作によって制御部２００がプログラムを読み出すことで行われる。
【００１７】
まず、表示部１０１の画面にメニューを呼び出す（ステップＳ１００）。ここでは、ユーザがチューニング機能を実行したいときには、操作部１０２の操作で、表示部１０１にチューニング機能のメニュー画面を呼び出す。次に、チューニング機能実行を選択する（ステップＳ１０１）。ユーザは、操作部１０２の操作によりメニューからチューニング機能の実行を選択する。次に、基準ピッチの指定画面を表示する（ステップＳ１０２）。基準ピッチとは、基準となる音の周波数のことで、通常イ音（ハ長調のラ）を４４０Ｈｚ前後に設定し、そのイ音より他の音階の音の周波数を算出する。
【００１８】
次に、基準ピッチの指定をする（ステップＳ１０３）。ユーザは、操作部１０２の操作により基準ピッチを指定する。基準ピッチを指定した後、ユーザは、チューニングした楽器の音または声を送話部１０３に入力する（ステップＳ１０４）。シンセサイザ１０８は、ステップＳ１０３で指定した基準ピッチに従って音を最高音ないし最低音から順次生成する（ステップＳ１０５）。次に、ステップＳ１０４で入力した音の波に波の位相をスキャンしながら重ね合わせる（ステップＳ１０６）。
【００１９】
次に、重ねあわせ後の音成分が最小になるようにする（ステップＳ１０７）。ここでは、２つの音の波の成分が打ち消し合って最も音が小さくなる瞬間（位相と周波数が最も小さくなる）が発生する。この行程を繰り返し、ステップＳ１０４で入力した音の波を打ち消し、残りの音の成分が最も少なくなるようなシンセサイザ１０８が生成した音を結果として表示部１０１に表示する（ステップＳ１０８）。異なるチューニングを継続する場合は（ステップＳ１０９／ＹＥＳ）、ステップＳ１０４からの処理動作を繰り返す。チューニングを継続しない場合は（ステップＳ１０９／ＮＯ）、表示部１０１にメニュー画面を呼び出し、終了とする。
【００２０】
（第２の実施形態）
第２の実施形態では、シンセサイザ１０８で生成した基準音を携帯電話に通常搭載されているスピーカへ出力することで、基準音の出力を簡単に行うことができる。
図４に示すフローチャートを参照して、本発明の第２の実施形態を説明する。
まず、基準音出力を開始する際に、表示部１０１のメニュー画面を呼び出す（ステップＳ２００）。ここでは、ユーザが操作部１０２の操作により表示部１０１に基準音出力のメニュー画面を呼び出す。
次に、基準音出力実行を選択する（ステップＳ２００）。ここでは、ユーザは、操作部１０２の操作によりメニュー画面から基準音出力の実行を選択する（ステップＳ２０１）。
【００２１】
次に、表示部１０１に基準ピッチの指定画面が表示され（ステップＳ２０２）、操作部１０２の操作により、基準ピッチの選択を行う（ステップＳ２０３）。基準ピッチを指定した後、音の指定画面が表示部１０１に表示される（ステップＳ２０４）。ユーザは、出力した音を指定し（ステップＳ２０５）、ステップＳ２０２で指定した基準ピッチにあわせてＳ２０５で指定した音をシンセサイザ１０８で生成する（ステップＳ２０６）。
【００２２】
ここでは、シンセサイザ１０８が、ステップＳ２０５で指定され、かつ、ステップＳ２０２で指定した基準ピッチに合致した音を生成する。シンセサイザ１０８で生成された音をスピーカ１０６から出力する（ステップＳ２０７）。次に、異なる音の出力を継続するか判断する（ステップＳ２０８）。異なる音の出力を継続する場合（ステップＳ２０８／ＹＥＳ）、ステップＳ２０４に戻る。異なる音の出力を継続しない場合（ステップＳ２０８／ＮＯ）は、操作部１０２の操作により表示部１０１にメニュー画面を呼び出し（ステップＳ２０９）、基準音出力を終了する。
【図面の簡単な説明】
【００２３】
【図１】本発明の実施形態における携帯電話本体の構成を示した図である。
【図２】本発明の実施形態における携帯電話の機能を示すブロック図である。
【図３】本発明の実施形態におけるチューニング機能の処理動作を示した図である。
【図４】本発明の実施形態におけるチューニング機能の処理動作を示した図である。
【符号の説明】
【００２４】
１００    携帯電話本体
１０１    表示部
１０２    操作部
１０３    送話部
１０４    受話部
１０５    アンテナ
１０６    スピーカ
１０７    記憶部
１０８    シンセサイザ
２００    制御部
２０１    電源
【図１】
0004632678.tif 000002
【図２】
0004632678.tif 000003
【図３】
0004632678.tif 000004
【図４】
0004632678.tif 000005